(57)【要約】  巻爪状態となった足指の爪に、本体から分離された必要部分が接着されて爪と一体化され、爪の成長に合わせて巻爪状態を解消する巻爪矯正具であって、前記必要部分の接着に先立って把持され、巻爪状態を解消する方向に回転操作される平板状の操作部１と、前記操作部１の一方側平面から延設され、先端方向に向けて真直ぐに突出する薄板状の当接部２と、前記当接部２より面方向に幅狭で、前記当接部２と略平行に前記操作部１の他方側平面から延設される薄板状の係合部３と、前記操作部１の一方端面から先端方向に延設され、前記当接部２と前記係合部３とを接続してＪ字状の断面を形成する底部４とを備えて構成され、前記当接部２の突出長さが、前記係合部３の突出長さより長く形成されている。
2009072456.tif 000002
【特許請求の範囲】
【請求項１】
巻爪状態となった足指の爪に、本体から分離された必要部分が接着されて爪と一体化され、爪の成長に合わせて巻爪状態を解消する巻爪矯正具であって、
前記必要部分の接着に先立って把持され、巻爪状態を解消する方向に回転操作される平板状の操作部と、
前記操作部の一方側平面から延設され、先端方向に向けて真直ぐに突出する薄板状の当接部と、
前記当接部より面方向に幅狭で、前記当接部と略平行に前記操作部の他方側平面から延設される薄板状の係合部と、
前記操作部の一方端面から先端方向に延設され、前記当接部と前記係合部とを接続してＪ字状の断面を形成する底部とを備えて構成され、
前記当接部の突出長さが、前記係合部の突出長さより長く形成されている巻爪矯正具。
【請求項２】
前記当接部は、略矩形状に形成されている請求項１に記載の巻爪矯正具。
【請求項３】
前記係合部は、前記操作部に連続する連結部と、前記連結部より面方向に幅狭の係合本体部とを有して構成されている請求項１に記載の巻爪矯正具。
【請求項４】
前記係合本体部は、先端に向けて漸次幅狭に形成されている請求項３に記載の巻爪矯正具。
【請求項５】
前記連結部と前記係合本体部とは、先端に向けて漸次幅狭に形成された中間部を経由して連設されている請求項３に記載の巻爪矯正具。
【請求項６】
前記当接部は、前記操作部に連続する基端当接部と、前記基端部より面方向に幅狭の先端当接部とを有して構成されている請求項１に記載の巻爪矯正具。
【請求項７】
前記底部は、前記係合部の先端側が切欠かれている請求項３に記載の巻爪矯正具。
【請求項８】
前記当接部には、複数の溝孔が形成されている請求項７に記載の巻爪矯正具。
【請求項９】
巻爪状態となった指爪に、本体から分離された必要部分が接着されて爪と一体化され、爪の成長に合わせて巻爪状態を解消する巻爪矯正具であって、
薄板材を折り返すことで断面Ｊ字状に形成され、先端方向に向けて長く延びる当接部と、前記当接部より短く略平行に延びる係合部と、前記当接部と前記係合部とを接続する折返し部とを有して構成され、
使用に先立って、爪の矯正位置に合わせて、不要箇所を除去して使用される巻爪矯正具。
【請求項１０】
前記当接部の基端側は面方向に幅広に形成され、全体として平面略Ｔ字状に形成されている請求項９に記載の巻爪矯正具。
【請求項１１】
前記係合部は、先端側が台形形状に切欠かれている請求項９に記載の巻爪矯正具。
【請求項１２】
前記当接部の先端側に、肉厚の操作部が連設されている請求項９に記載の巻爪矯正具。
【請求項１３】
陥入爪となった足指の爪に、本体から分離された必要部分が接着されて爪と一体化され、爪の成長に合わせて陥入状態を解消する巻爪矯正具であって、
平板状の操作部と、前記操作部の一方側平面から延設された薄板状の連結部と、前記連結部の他方側平面より延設された板状の当接部と、前記当接部の他方側平面から折り返し形成された鉤状の係合部とを備え、
前記当接部は、前記連結部よりも肉厚に形されている巻爪矯正具。
【請求項１４】
他の矯正具の表面に貼り付けて使用される請求項１３に記載の巻爪矯正具。
【発明の詳細な説明】
【技術分野】
【０００１】
本発明は、爪の成長に合わせて巻爪状態を自然に解消する巻爪矯正具に関するものである。
【背景技術】
【０００２】
ハイヒールのように靴先の狭い靴を継続的に履き続けると、足指の爪が極端に湾曲して、巻爪の状態に変形することがある。この様な巻爪を矯正する器具として、本出願人は特許文献１の矯正具を提案している。【０００３】
この矯正具は、爪の片側の先端に矯正具を挿入して、爪の湾曲状態を矯正する方向に矯正具を移動させる。その状態で固定することにより、爪の成長に合わせて巻爪を矯正するものであり、非常に好評を博している。
【特許文献１】特許第３３９３８６５号公報
【発明の開示】
【発明が解決しようとする課題】
【０００４】
しかし、前記の矯正具は、その構成から、足指の皮膚が障害となり爪の奥深くまでは挿入することができない。そのため、爪との接着面を十分に確保することができず、成長する爪による応力が、狭い接着箇所に集中する結果、爪が割れる可能性が否定できない。【０００５】
また、単一の矯正具で、様々な湾曲度の巻爪を矯正するには、やや無理があるので、巻爪の湾曲度に対応した矯正具の開発が強く望まれている。更にまた、爪先が白癬菌に犯されている場合にも、適切に対応できる器具の開発も望まれている。【０００６】
本発明は、上記の問題点に鑑みてなされたものであって、巻爪の矯正時に広く圧力を分散させることができ、爪が割れることを回避した矯正具を提供することを目的とする。また、爪の湾曲度合いなどに応じて、最適な矯正力を発揮する矯正具を提供することを目的とする。
【課題を解決するための手段】
【０００７】
上記の目的を達成するため、請求項１に係る発明は、巻爪状態となった足指の爪に、本体から分離された必要部分が接着されて爪と一体化され、爪の成長に合わせて巻爪状態を解消する巻爪矯正具であって、前記必要部分の接着に先立って把持され、巻爪状態を解消する方向に回転操作される平板状の操作部と、前記操作部の一方側平面から延設され、先端方向に向けて真直ぐに突出する薄板状の当接部と、前記当接部より面方向に幅狭で、前記当接部と略平行に前記操作部の他方側平面から延設される薄板状の係合部と、前記操作部の一方端面から先端方向に延設され、前記当接部と前記係合部とを接続してＪ字状の断面を形成する底部とを備えて構成され、前記当接部の突出長さが、前記係合部の突出長さより長く形成されている。【０００８】
なお、巻き爪には、陥入爪や、トランペット爪、刺し爪と呼ばれるもの、及び渦巻状に巻いた爪も含んでいる。【０００９】
爪表面への十分な接着面積を確保し、巻き爪の矯正時に広く圧力を分散させることにより、爪表面が割れることを防ぐため、前記当接部は、略矩形状に形成されていることが好適である。【００１０】
前記係合部は、前記操作部に連続する連結部と、前記連結部より面方向に幅狭の係合本体部とを有していることが好適である。通常、円弧状に形成される爪のイエローラインに対応して、幅狭の係合本体部を限界位置まで挿入でき、爪裏面への十分な接着面積を確保できる。【００１１】
前記係合本体部は、先端に向けて漸次幅狭に形成されていることが好適である。矯正初期は、爪裏面への接着面積が広いので、特に、爪先端で強力な矯正力を発揮する。その後、爪の伸びに応じて湾曲状態が矯正されるので、接着面積が減っても問題がない。【００１２】
前記連結部と前記係合本体部とは、先端に向けて漸次幅狭に形成された中間部を経由して連設されていることが好適である。中間部を設けることで、係合本体部を同一幅にできる。そのため、爪裏面への接着面積を長期にわたって広く確保でき、強力な矯正力を発揮する。【００１３】
前記当接部は、前記操作部に連続する基端当接部と、前記基端部より面方向に幅狭の先端当接部とを有していてもよい。幅狭の先端当接部を有するので、十分な挿入深さを確保できる。そのため、重度の巻爪に対して、爪表面への十分な接着面積を確保できる。【００１４】
上記の場合前記底部は、前記係合部の先端側が切欠かれていることが好適である。係合本体部の先端を限界位置まで挿入でき、爪裏面への十分な接着面積を確保できる。【００１５】
また、前記当接部には複数の溝孔が形成されていることが好ましい。矯正具を爪に固定し、爪から余分に飛び出ている部分を削り落とす際に、加工しやすい。【００１６】
また、請求項９に係る発明は、巻爪状態となった足指の爪に、本体から分離された必要部分が接着されて爪と一体化され、爪の成長に合わせて巻爪状態を解消する巻爪矯正具であって、薄板材を折り返すことで断面Ｊ字状に形成され、先端方向に向けて長く延びる当接部と、前記当接部より短く略平行に延びる係合部と、前記当接部と前記係合部とを接続する折返し部とを有して構成され、使用に先立って、爪の矯正位置に合わせて、不要箇所を除去して使用される巻爪矯正具である。【００１７】
本矯正具では、爪の薄い場合、従来難しいとされてきた親指以外の足指、更には手の指の場合においても、矯正することができる。【００１８】
爪表面への十分な接着面積を確保し、巻き爪の矯正時に広く圧力を分散させることにより、爪表面が割れることを防ぐため、前記当接部の基端側は面方向に幅広に形成され、全体として平面略Ｔ字状に形成されていることが好適である。【００１９】
前記係合部は、先端側が台形形状に切欠かれように形成されていてもよい。矯正具の加工の際の工程が大幅に削減され、装着時間が短く簡易に装着することが可能だからである。【００２０】
また、前記当接部の先端側に、肉厚の操作部が連設されていてもよい。矯正具の把持が容易になるからである。【００２１】
また、請求項１３に係る発明は、陥入爪となった足指の爪に、本体から分離された必要部分が接着されて爪と一体化され、爪の成長に合わせて陥入状態を解消する巻爪矯正具であって、平板状の操作部と、前記操作部の一方側平面から延設された薄板状の連結部と、前記連結部の他方側平面より延設された板状の当接部と、前記当接部の他方側平面から折り返し形成された鉤状の係合部とを備え、前記当接部は、前記連結部よりも肉厚に形されている巻爪矯正具である。【００２２】
本矯正具は、他の矯正具を巻き爪に装着した後、その矯正具の表面に貼り付けて使用してもよい。この場合、皮膚に食い込んだ爪の側端のみならず、爪の先端も同時に矯正することが可能である。
【発明の効果】
【００２３】
上記した本発明によれば、巻き爪の矯正時に広く圧力を分散させることで、爪が割れる恐れを回避して安全に矯正することができ、更に、爪の側端を広範囲に引き上げることができる。また、本発明は、白癬菌に犯された場合でも、その犯されている部分をよけて、爪の矯正ができ、重度の陥入爪でも矯正することができる。
【図面の簡単な説明】
【００２４】
【図１】本発明の第一実施例に係る矯正具ＥＱ１を示す図面である。
【図２】矯正具ＥＱ１の別の一例である矯正具ＥＱ１’を示す図面である。
【図３】矯正具ＥＱ１の使用方法を示す図面である。
【図４】矯正具ＥＱ１の使用方法を示す別の図面である。
【図５】本発明の第二実施例に係る矯正具ＥＱ２を示す図面である。
【図６】矯正具ＥＱ２の別の一例である矯正具ＥＱ２’を示す図面である。
【図７】矯正具ＥＱ２の使用方法を示す図面である。
【図８】矯正具ＥＱ２の別の一例である矯正具ＥＱ２’’，矯正具ＥＱ２’’’を示す図面である。
【図９】本発明の第三実施例に係る矯正具ＥＱ３を示す図面である。
【図１０】矯正具ＥＱ３の使用方法を示す図面である。
【図１１】矯正具ＥＱ３の使用方法を示す別の図面である。
【図１２】矯正具ＥＱ３の別の使用方法を示す図面である。
【図１３】矯正具ＥＱ３の別の使用方法を示す図面である。
【図１４】矯正具ＥＱ３の別の一例である矯正具ＥＱ３’，矯正具ＥＱ３’’を示す図面である。
【図１５】本発明の第四実施例に係る矯正具ＥＱ４を示す図面である。
【図１６】矯正具ＥＱ４の使用方法を示す図面である。
【図１７】矯正具ＥＱ４の別の一例である矯正具ＥＱ４’を示す図面である。
【図１８】矯正具ＥＱ４’の使用例を示す図面である。
【図１９】使用する矯正具を決定する巻き爪度数早見表を示す図面である。
【発明を実施するための最良の形態】
【００２５】
本発明を実施形態に基づき以下に説明する。図１は、本発明の第一実施例の巻爪矯正具ＥＱ１を図示したものである。それぞれ正面図（ａ）、平面図（ｂ）、底面図（ｃ）、斜視図（ｄ）、Ａ−Ａ断面図（ｅ）である。【００２６】
この矯正具ＥＱ１は、使用時に把持される平板状の操作部１と、操作部１の左側面の背面側から延設され、先端方向に向けて真直ぐに突出する薄板状の当接部２と、当接部２より上下方向に幅狭で、当接部２と略平行に操作部１の左側面の正面側から延設される薄板状の係合部３と、操作部１の左側面の底面側から先端方向に延設され、当接部２と係合部３とを接続して略Ｊ字状の断面を形成する底部４とが、一体的に透明プラスチック製（ＡＢＳ樹脂）で構成されている。なお、矯正具ＥＱ１は、左右方向の長さが、例えば５２ｍｍ程度に形成されている。【００２７】
図１（ｄ）に示すように、当接部２と係合部３と底部４とで、断面略Ｊ字状の挿入溝５が形成されている。また、当接部２の突出長さは、係合部３、底部４の突出長さより長く形成されている。【００２８】
当接部２は、略矩形状に形成されており、面方向（上下方向）の幅の長さが操作部１と同一に形成されている。また、当接部２には、先端側（左側）やや中央付近から先端側にかけて肉薄に形成された肉薄部６が設けられている。この肉薄部６は、後述する矯正具ＥＱ１をカットするときの大まかな目印であり、カットし易いように肉薄に形成されている。【００２９】
係合部３は、上下方向の幅の長さが操作部１より幅狭に形成されて操作部１に連続する連結部３ａと、連結部３ａより延設され上下方向に更に幅狭の係合本体部３ｂとで構成されている。係合本体部３ｂは、底部４に向かって漸次幅狭となるように傾斜している。【００３０】
第一実施例の矯正具ＥＱ１は、上述のように構成されているので、図３（ａ）に示す足指の巻き爪の矯正対象部分が、被験者に向かって右側に位置する場合に使用するものである。そのため、矯正対象部分が被験者に向かって左側に位置する場合には、図２の構成の矯正具ＥＱ１’を使用する。【００３１】
次に、第一実施例の矯正具ＥＱ１の使用方法について図３及び図４を用いて説明する。矯正具ＥＱ１の使用に先立って、被験者の足を蒸しタオル等で拭く。フットバス（足浴器）に足を浸してもよい。この場合、爪の中にあまり水分が入り込まないように、足をすすぐ程度にする。【００３２】
続いて、図３（ｂ）に示すように、被験者の巻き爪１０の爪先１１（フリーエッジ）の基端部付近に一旦係合部３の先端を当てる。そして、爪１０から突出する当接部２の肉薄部６の一部をカットする。次に、矯正具ＥＱ１の当接部２の内表面下側付近にジェル１３を塗布する。そして、ブラシ（不図示）にアクティベータ１４（活性剤）を含ませ、当接部２に乗せたジェル１３を、ブラシでアクティベータ１４と混ぜ合わせて、挿入溝５内部にまでジェル１３が行きわたるようにブラシで塗り込む。このとき当接部２の内表面上側には、ジェルが塗り込まれないようにする。ここでジェル１３とは、エチル−２−サイアノアクリレイト(Ethyl-2-Cyanocrylate)と、ポリメチルメタクリレート(Polymethyl Methacrylate)と、ハイドロキノマ(Hydroquinone)とを主成分とするものである。また、アクティベータ１４は、酢酸エチル(Ethyl acetate)とジメチル−Ｐ−トルイジン(Dimethl-P-Toluidine)とを主成分とするもので、ジェル１３を速く乾燥させるものである。【００３３】
次に、図３（ｃ）、（ｄ）に示すように、爪１０の側端が見えるように被験者の側爪郭を開き、挿入溝５を爪先１１の基端部に差し込む。そして、係合部３が爪先１１の裏側と、当接部２の下側が爪１０及び爪先１１の表側と、ジェル１３で接着されるまで、当接部２の外表面下側を押さえつける。【００３４】
その後、ジェル１３が固まり、爪１０の右側端と、矯正具ＥＱ１の下側が固定されると、図３（ｅ）に示すように、更にジェル１３を爪１０表面と、当接部２との間に流し込む。次に、図３（ｆ）に示すように、操作部１を回転させて矯正具ＥＱ１を倒し、爪１０表面と、当接部２の上側を接合させる。その後、矯正具ＥＱ１の倒した状態を保ったまま待機すると、ジェル１３が硬化し、巻き爪の湾曲状態が矯正された状態で、矯正具ＥＱ１と被験者の爪１０が一体化される。【００３５】
続いて図３（ｇ）に示すように、矯正具ＥＱ１の操作部１と、当接部２と係合部３の爪１０から余分に飛び出している不要部分を削り落とし、爪に接着された必要部分のみを残す。また、図３（ｈ）に示すように、爪１０表面と当接部２との間の段差を無くすように、当接部２の上端を削り落とす。そして、全体として見栄えの良い形状となるよう爪１０及び矯正具ＥＱ１を削り、形を整える（図３（ｉ）参照）。【００３６】
以上の処理の結果、爪１０は矯正具ＥＱ１と一体化し、図４（ａ）の状態に仕上がる。次に矯正具ＥＱ１の耐久性を高めるため、ファイバーグラス１５の爪１０への貼り付けを行う。まず、矩形状のファイバーグラス１５を爪１０表面に貼り、爪１０表面よりはみ出す部分を、カットする（図４（ｂ）参照）。そして、爪１０表面に貼られたファイバーグラス１５の上からレジンを塗布し、爪１０表面にファイバーグラス１５をしっかりと接着させる（図４（ｃ））。その結果、ファイバーグラス１５の繊維状の網目は、殆んど見えない状態となる。なお、レジン（樹脂）は、エチル−２−サイアノアクリレート(Ethyl-2-Cyanocrylate)と、ハイドロキノン(Hydroquinone)とを主成分としている。【００３７】
最後にジェル１３とアクティベータ１４とを、ファイバーグラス１５が貼られた爪１０表面全体に塗り伸ばして、爪１０表面全体をジェルで固める。これにより、爪１０が矯正された状態で固定化され、巻き爪の矯正処理は完了する。図４（ｄ）と図４（ｅ）は、完成状態の爪の正面図と、平面図を示したものである。【００３８】
第一実施例の矯正具ＥＱ１では、当接部２の突出長さは、係合部３の突出長さより長く形成されているので、爪表面広範囲に矯正具ＥＱ１は固着される。その結果、巻き爪の矯正時に広く圧力を分散させることができ、爪が割れる恐れを回避して安全に矯正することができる。また、当接部２を略矩形状に形成したことにより、爪表面への十分な接着面積を確保できる。【００３９】
また、矯正具ＥＱ１は、透明プラスチック製であるので、簡易に切断したり、形を変えることが可能である。したがって、被験者の爪に矯正具ＥＱ１を固着した後、矯正具ＥＱ１を通して被験者の爪の形を見ることができ、その爪の形に合わせて矯正具ＥＱ１をカットすることが可能である。さらに、透明な矯正具ＥＱ１とともに透明になるファイバーグラス１５が爪表面に貼られるので、矯正具ＥＱ１を取り付けて爪を矯正している間も違和感なく過ごすことができる。また、見た目も矯正具ＥＱ１が付いていることが殆んど判らないように見栄えよく矯正することが可能である。【００４０】
次に、図５は、本発明の第二実施例の巻爪矯正具ＥＱ２を図示したものであり、正面図（ａ）、平面図（ｂ）、斜視図（ｃ）である。【００４１】
この矯正具ＥＱ２は、重度の巻き爪であって、図７（ａ）に示すように皮膚と爪との間の隙間がほとんどなく、第一実施例の矯正具ＥＱ１の底部４が皮膚と爪との間に入り込めない場合、さらには、爪が何重にも巻きこんだ渦巻き状の場合に好ましく使用されるものである。この矯正具ＥＱ２は、使用時に把持される平板状の操作部２１と、操作部２１の右側面の背面側から延設され、先端（右）方向に向けて突出する薄板状の当接部２２と、当接部２２より上下方向に幅狭で、当接部２２と略平行に操作部２１の右側面の正面側から延設される薄板状の係合部２３と、操作部２１の右側面の底面側から先端方向に延設され、当接部２２と係合部２３とを接続してＪ字状の断面を形成する底部２４とで構成されている。なお、矯正具ＥＱ２は、左右方向の長さが、例えば５６ｍｍ程度に形成されている。【００４２】
図５（ｃ）に示すとおり、当接部２２の突出長さは、係合部２３、底部２４の突出長さより長く形成されている。また、当接部２２は、操作部２１に連続し、操作部２１と面方向（上下方向）に同一の幅の基端当接部２２ａと、幅狭矩形状に形成された先端当接部２２ｃと、基端当接部２２ａと先端当接部２２ｃとを接続し漸次幅狭に形成された中間部２２ｂとで構成されている。【００４３】
係合部２３は、上下方向の幅の長さが操作部２１より幅狭に形成され操作部２１に連続する連結部２３ａと、連結部２３ａより上下方向に更に幅狭の係合本体部２３ｃと、連結部２３ａと係合本体部２３ｃとを接続し漸次幅狭に形成された中間部２３ｂとで構成されている。【００４４】
底部２４は、係合部２３の突出長さよりその突出長さが短く、当接部２２及び係合部２３に対し切欠状に形成されている。言い換えると、当接部２２と係合部２３は、底部２４から二股状に突出形成されている。【００４５】
第二実施例の矯正具ＥＱ２は、上述のように構成されているので、図７（ａ）に示す足指の巻き爪の矯正対象部分が、被験者に向かって左側に位置する場合に使用するものである。そのため、矯正対象部分が被験者に向かって右側に位置する場合には、図６の構成の矯正具ＥＱ２’を使用する。【００４６】
次に、図７を用いて、上記のように構成された矯正具ＥＱ２の使用方法について図７を用いて説明する。まず、第一実施例と同様に足の衛生処理を行い、図７（ａ）に示すように爪３０の爪先３１を先端部分を所定の長さにカットする。次に、第一実施例と同様にジェルとアクティベータを混合して、当接部２２の内表面下側、係合部２３及び底部２４に塗布する。このとき当接部２２の基端当接部２２ａと中間部２２ｂの内表面上側には、ジェルが塗り込まれないようにする。【００４７】
そして、図７（ｂ）に示すように、当接部２２が爪３０の表面と、係合本体部２３ｃが爪３０の裏面と係合し、底部２４が足指の皮膚とぶつからない程度に、爪先３１の側端に矯正具ＥＱ２を挿入する。【００４８】
しばらくすると、ジェルが固まり、爪３０の側端と、矯正具ＥＱ２の下側が固定される。固定後、第一実施例と同様に、更にジェルを足指から突出した爪表面と、基端当接部２２ａ及び中間部２２ｂの内表面上側との間に流し込む。次に、図７（ｃ）に示すように、操作部２１を捻り、爪表面と、当接部２２の上側側面を接合させる。その後、矯正具ＥＱ２を捻った状態を保ったまま待機すると、ジェルが硬化し、巻き爪の湾曲状態が矯正された状態で、矯正具ＥＱ２と被験者の爪３０が一体化される。【００４９】
以下、第一実施例と同様に、矯正具ＥＱ２の爪３０から余分に飛び出ている部分を削り落とす。そして、ファイバーグラスを爪３０の表面に貼り、その上にジェルを塗布することにより、爪３０が矯正された状態で固定化される。【００５０】
第二実施例の矯正具ＥＱ２では、当接部２２の突出長さは、係合部２３の突出長さより長く形成されているので、爪表面広範囲に矯正具ＥＱ２は固着される。その結果、巻き爪の矯正時に広く圧力を分散させることができ、爪が割れる恐れを回避して安全に矯正することができる。【００５１】
さらに、重度の巻き爪であって、皮膚と爪との間の隙間がなく、第一実施例の矯正具ＥＱ１の底部４が皮膚と爪との間に入り込めない場合であっても、矯正具ＥＱ２では、当接部２２とともに係合部２３が二股状に底部２４から突出形成されているので、足指の皮膚が底部２４とぶつかることなく、ピンセットで爪を挟むように爪に固着することができる。【００５２】
さらに、矯正具ＥＱ２は、例えば、図７（ｄ）に示すような何重にも巻きこんだ渦巻き状の爪であっても適用することができる。図７（ｅ）に示すように、渦巻状の爪の先端に矯正具ＥＱ２を差し込む。そして、操作部２１を回転させて固定化することにより、渦巻きが解消された状態で爪を矯正することができる。【００５３】
なお、本実施例の場合、矯正具ＥＱ２は、図８（ａ）に示す変形例、矯正具ＥＱ２”であってもよい。この矯正具ＥＱ２”では、当接部は操作部の上下方向略中央付近から延設され、係合部は基端から先端まで一直線に延設形成されており、その当接部と係合部は、二股状に底部から突出するように形成されている。【００５４】
また、図８（ｂ）に示す変形例、矯正具ＥＱ２’’’であってもよい。この矯正具ＥＱ２’’’の当接部は、操作部２１に連続し、操作部２１と面方向（上下方向）に同一の幅の基端当接部２２ａと、基端当接部２２ａの先端方向（右方向）から延出され、面方向に幅狭矩形状に形成された先端当接部２２ｂと、で構成されている。図８（ｂ）に示すとおり、基端当接部２２ａの表面には、上下方向中央に２行８列に渡って複数の溝孔２４・・・２４が形成されている。【００５５】
この矯正具ＥＱ２’’’では、複数の溝孔２４が形成されているので、爪に固定し、爪から余分に飛び出ている部分を削り落とす際に、加工しやすい。【００５６】
次に、図９は、本発明の第三実施例の巻爪矯正具ＥＱ３を図示したものであり、それぞれ正面図（ａ）、背面図（ｂ）、左側面図（ｃ）、右側面図（ｄ）、平面図（ｅ）、底面図（ｆ）、斜視図（ｇ）である。【００５７】
この矯正具ＥＱ３は、軽度の巻き爪及び陥入爪の矯正に使用されるものであり、先端方向（上方向）に向けて長く延びる当接部４１と、当接部４１より短く略平行に上方向に向けて延びる係合部４２と、当接部４１と係合部４２とを基端側で接続する折返し部４３とで構成され、全体として断面Ｊ字状に形成されている。なお、この矯正具ＥＱ３も透明プラスチック製で形成されているが、ＡＢＳ樹脂よりも硬いプラスチックで形成されていることが好ましい。そして、矯正具ＥＱ３は上下方向の長さが２４ｍｍ程度に形成されている。【００５８】
図９（ａ）に示すように、当接部４１の基端側は、面方向（左右方向）に幅広に形成され、当接部４１は、全体として平面視略Ｔ字状に形成されている。【００５９】
第三実施例の矯正具ＥＱ３は、上述のように構成されているので、左右何れの巻き爪についても同一の矯正具ＥＱ３を使用して矯正することができる。【００６０】
次に、図１０及び図１１を用いて、上記のように構成された矯正具ＥＱ３の使用方法について説明する。まず、第一実施例と同様に足の衛生処理を行う。次に、爪５０の爪先５１の右側端を矯正する場合は、図１０（ａ）矯正具ＥＱ３の背面図に示すように、矯正具ＥＱ３の当接部４１及び係合部４２をカットラインＬ１のラインに沿ってカットする（図１０（ｂ）参照）。そして、ジェルとアクティベータを混合したものを、当接部４１の基端側、係止部４２、底部４３に塗布する。このとき当接部４１の上側には、ジェルが塗り込まれないようにする。【００６１】
そして、図１１（ａ）に示すように、爪先５１の右側端に矯正具ＥＱ３を挿入し、当接部４１の基端側を爪５０の表面に、係合部４２を爪５０の裏面に固着させる。この場合、ピンセット５２で矯正具ＥＱ３を爪先５１に挿入すると良い。【００６２】
その後、ジェルが固まり、爪５０の側端と、矯正具ＥＱ３の基端側が固定されると、更にジェルを爪５０表面と、当接部４１上側との間に流し込む。次に、爪先５１をピンセット５２で挟んで爪５０を外側に引き出しながら、当接部４１の上側を爪５０表面に貼りつける（図１１（ｂ）参照）。ジェルが硬化すると、矯正具ＥＱ３の爪５０から突き出ている部分をカットする。更に、ジェルを当接部４１の周縁に塗り固めることにより、巻き爪の湾曲状態が矯正された状態で、矯正具ＥＱ３と被験者の爪５０が一体化される。【００６３】
なお、爪先の左側端を矯正する場合は、図１２（ａ）矯正具ＥＱ３背面図に示すカットラインＬ２にしたがって、当接部４１及び係合部４２をカットして（図１２（ｂ）参照）、矯正具ＥＱ３を爪に取り付ける（図１２（ｃ）参照）。【００６４】
爪先以外の爪側端を矯正する場合は、図１３（ａ）矯正具ＥＱ３背面図に示すカットラインＬ３にしたがって、係合部４２のみをカットし（図１３（ｂ）参照）、爪側端に係合部４２を挿入して、爪の矯正を行う（図１３（ｃ）参照）。【００６５】
第三実施例の矯正具ＥＱ３では、当接部４１の基端側は、面方向（左右方向）に幅広に形成されているので、巻き爪の矯正時に広く圧力を分散させることができ、爪が割れる恐れを回避して安全に矯正することができる。また、爪の側端を広範囲に引き上げることができる。【００６６】
この矯正具ＥＱ３の当接部４１の基端側は、略Ｔ字状に形成されているが、三角形状、台形形状、又は、矩形状であってもよい。矯正時に爪側端にかかる圧力を広く分散できる形状であれば特に当接部の形状は限定されない。【００６７】
さらに、矯正具ＥＱ３では、カットラインＬ１〜Ｌ２にしたがって当接部４１及び係合部４２をカットすることにより、爪先の左右両側端何れでも使用することができる。また、爪先だけが巻いている場合でも、有効に矯正することが可能である。また、カットラインＬ３にしたがって係合部４２をカットすることにより、爪先以外の爪側端に使用することができ、白癬菌に犯されている部分をよけて、矯正具ＥＱ３を爪に装着することが可能である。また、重度の巻き爪が他の実施例の矯正具ＥＱの使用により、軽度の巻き爪へ矯正されたときに、爪の根元に矯正具ＥＱ３を装着することにより、爪の根元だけを確実に上げることができる。【００６８】
また、矯正具ＥＱ３では、爪の薄い場合、従来難しいとされてきた親指以外の足指、更には手の指の場合においても、矯正することが可能である。さらに、矯正具ＥＱ３では、爪との接着時に、ジェルを用いなくても矯正することができる。この場合、爪先に矯正具ＥＱ３を引っ掛け、当接部４１より大きい布テープＴＰを当接部４１の表面に貼る。そして、布テープと共に当接部４１を爪表面に倒して、巻き爪の湾曲状態が矯正された状態で、矯正具ＥＱ３を爪に固定する（図１１（（ｃ）〜（ｅ）参照）。このように接着剤を塗布した布テープを用いることにより、自宅でも巻爪を簡易に矯正することが可能である。【００６９】
なお、本実施例の場合、矯正具ＥＱ３は、図１４（ａ）、（ｂ）に示す変形例、矯正具ＥＱ３’，矯正具ＥＱ３’’であってもよい。この矯正具ＥＱ３’，ＥＱ３’’では、略Ｔ字状の当接部４５の先端に肉厚に形成された円盤状の操作部４６が形成されている。当接部４５の基端側は、面方向（左右方向）に幅広に形成され、さらに基端側が一部切り欠かれて形成されている。また、係合部４７は、矯正具ＥＱ３’では爪先の右側端に係合するように、矯正具ＥＱ３’’では左側端に係合するように、予め台形状に切り欠かれて形成されている。【００７０】
次に、図１５は、本発明の第四実施例の巻爪矯正具ＥＱ４を図示したものであり、それぞれ斜視図（ａ）、右側面図（ｂ）である。【００７１】
この矯正具ＥＱ４は、中度〜重度の陥入爪の矯正に使用されるものであり、平板状の操作部６１と、操作部６１の底面の背面側から延設された薄板状の連結部６２と、連結部の下側先端より延設され、正面側に向かって肉厚に形成された当接部６３と、当接部６３の下側先端から折り返し形成された鉤状の係合部６４とで、一体的に構成されている。そして、矯正具ＥＱ４は、上下方向の長さが、例えば２４ｍｍ程度に形成されている。【００７２】
操作部６１と連結部６２と当接部６３の背面側は、面一に形成されている。また当接部６３の正面側は、側面視台形状に肉厚に形成されている。【００７３】
次に、図１６を用いて、上記のように構成された矯正具ＥＱ４の使用方法について説明する。ここで陥入爪とは、図１６（ａ）に示すように、爪７１の側端が皮膚７２内部に食い込んだ状態であり、破線部分は、爪７１の皮膚７２内部にある部分を表している。【００７４】
まず、第一実施例と同様に足の衛生処理を行う。次に、ジェルとアクティベータを混合したものを、当接部６３の内表面下側と係合部６４の内側に塗布する。このとき当接部６３の上側には、ジェルが塗り込まれないようにする。【００７５】
次に、図１６（ｂ）に示すように、爪７１の側端が見えるように被験者の側爪郭を開き、係合部６４を爪７１の側端に引っ掛けて固着する。その後、ジェルが固まり、爪７１の右側端と、矯正具ＥＱ４の下側が固定されると、更にジェルを爪７１表面と、当接部６３及び連結部６２との間に流し込む。次に、図１６（ｃ）に示すように、操作部６１を把持して爪７１の側端を引き上げながら矯正具ＥＱ４を倒し、爪７１表面と、当接部６３の上側と連結部６２を接合させる。その後、矯正具ＥＱ４の倒した状態を保ったまま待機すると、ジェルが硬化し、陥入爪の湾曲状態が矯正された状態で、矯正具ＥＱ４と被験者の爪７１が一体化される。また、皮膚７２は、台形状の当接部６３によって押し広げられた状態となる。【００７６】
そして、カットラインに沿って連結部６２の一部をカットし、ファイバーグラスを爪７１の表面に貼り、その上にジェルを塗布することにより、陥入爪の矯正処理を終える（図１６（ｄ）参照）。その後、回復度合いに応じて、例えば第一実施例の矯正具ＥＱ１を爪７１に挿入し、爪７１を矯正することにより、図１６（ｅ）の様に爪７１の陥入状態は矯正されることとなる。【００７７】
第四実施例の矯正具ＥＱ４では、当接部６３が台形状に肉厚に形成されているので、皮膚７２を押し広げることができ、成長していく爪７１が皮膚７２の内側に入り込まないように爪７１を矯正することができる。【００７８】
なお、本実施例の場合、矯正具ＥＱ４は、図１７に示す変形例、矯正具ＥＱ４’であってもよい。この矯正具ＥＱ４’では、操作部６５は肉厚の円盤形状に形成されている。また、鉤状の係合部６６と反対方向に正面視円弧状の当接部６７が突出形成されている。【００７９】
この矯正具ＥＱ４’も矯正具ＥＱ４と同様に使用されるが、他の矯正具とともに使用してもよい。例えば、図１８に示すように、第一実施例の矯正具ＥＱ１とこの矯正具ＥＱ４’を併せて使用することにより効果的に爪の矯正をすることができる。まず、予め矯正具ＥＱ４’をカットラインＬ４に沿ってカットしておく（図１８（ａ），（ｂ）参照）。次に、爪７３の側端が皮膚７４内部に食い込んだ状態の爪に対し、矯正具ＥＱ１を差し込む（図１８ｃ参照）。そして、操作部１を回転させて矯正具ＥＱ１を爪に固着させ、不要部分をカットする。矯正具ＥＱ１の固定後、爪側端の皮膚７４を開き、当接部６７で皮膚７４を押し広げた状態となるように矯正具ＥＱ４’を矯正具ＥＱ１の表面に固着させる（図１８ｄ参照）。この方法では皮膚に食い込んだ爪の側端のみならず、爪の先端も同時に矯正することが可能である。【００８０】
最後に、本発明の矯正具ＥＱ１〜ＥＱ４は、巻き爪の湾曲度合いに応じて適宜使用する矯正具を変更することができる。そして、矯正具ＥＱ１〜ＥＱ４の何れを使用するか決定するため、図１９に示す巻き爪度数早見表８０が使用される。この巻き爪度数早見表８０は、名刺サイズの透明板体に、爪の湾曲度の深刻さに対応して、セーフティゾーン、軽度、中度、重度に分類された複数の測定部８１が印刷形成されている。これらの測定部には、所定の爪の湾曲度に対応した複数の円弧８２が形成されている。【００８１】
この巻き爪度数早見表８０を足指の正面に配置し、爪と円弧８２を見比べて、爪の湾曲度合いに対応する円弧８２を選択する。その円弧８２が属する測定部８１の分類を見ることにより、使用する矯正具ＥＱ１〜ＥＱ４を決定する。例えば、矯正具ＥＱ１は４０〜７０度、矯正具ＥＱ２は８０〜１００度、矯正具ＥＱ３は１０〜５０度又は軽度の陥入爪、矯正具ＥＱ４は中度〜重度の陥入爪の時に使用することとなる。
【図１】
2009072456.tif 000003
【図２】
2009072456.tif 000004
【図３】
2009072456.tif 000005
【図４】
2009072456.tif 000006
【図５】
2009072456.tif 000007
【図６】
2009072456.tif 000008
【図７】
2009072456.tif 000009
【図８】
2009072456.tif 000010
【図９】
2009072456.tif 000011
【図１０】
2009072456.tif 000012
【図１１】
2009072456.tif 000013
【図１２】
2009072456.tif 000014
【図１３】
2009072456.tif 000015
【図１４】
2009072456.tif 000016
【図１５】
2009072456.tif 000017
【図１６】
2009072456.tif 000018
【図１７】
2009072456.tif 000019
【図１８】
2009072456.tif 000020
【図１９】
2009072456.tif 000021
【国際調査報告】
2009072456.tif 000022
2009072456.tif 000023